(57)【要約】【課題】パッキンを切断や摩耗から保護して弾力性の低下を防ぎ、水漏れの発生を防止することができると共に、長期間使用しても部材の破損が発生することがなく、止水の信頼性、耐久性、耐候性に優れる水道配管接続具の提供。【解決手段】パッキンが、下端側の内周面に断面円弧状に形成され可撓管の先端外周の山部に嵌合する嵌合凹条部と、可撓管の先端側に突出する筒状突出部と、を備え、パッキン支持体が、半円筒状に形成されパッキンの下端側の外周を囲繞するパッキン囲繞部と、パッキン囲繞部の下端側の内周面に形成されパッキンの下端部で可撓管の外周の谷部に嵌合してパッキンの下端面に当接する突条当接部と、を有する２つの金属製の分割体で形成され、接続ナットが、パッキン支持体の各々の分割体のパッキン囲繞部の下端面に係合する係合突部と、パッキンを収容するパッキン収容部と、パッキン収容部の上端側に形設された雌螺子部と、を備えている。【選択図】図１
0003172337.tif 000002
【実用新案登録請求の範囲】
【請求項１】
可撓管の先端部に嵌着される円筒状のパッキンと、前記パッキンの下端側で前記可撓管に嵌着され前記パッキンを支持するパッキン支持体と、前記パッキン及び前記パッキン支持体の外周に挿設され他の配管と螺着される接続ナットと、を有する配管接続具であって、
前記パッキンが、下端側の内周面に断面円弧状に形成され前記可撓管の先端外周の山部に嵌合する嵌合凹条部と、前記可撓管の先端側に突出する筒状突出部と、を備え、
前記パッキン支持体が、半円筒状に形成され前記パッキンの下端側の外周を囲繞するパッキン囲繞部と、前記パッキン囲繞部の下端側の内周面に形成され前記パッキンの下端部で前記可撓管の外周の谷部に嵌合して前記パッキンの下端面に当接する突条当接部と、を有する２つの金属製の分割体で形成され、
前記接続ナットが、前記パッキン支持体の各々の前記分割体の前記パッキン囲繞部の下端面に係合する係合突部と、前記パッキンを収容するパッキン収容部と、前記パッキン収容部の上端側に形設された雌螺子部と、を備えたことを特徴とする水道配管接続具。
【請求項２】
前記パッキン支持体の各々の前記分割体が、前記パッキン囲繞部の外径よりも小さな外径を有し前記パッキン囲繞部の下端側に延設された延設部と、前記延設部の内周面に形設され前記可撓管の外周の他の谷部に嵌合する突条固定部と、を備えたことを特徴とする請求項１に記載の水道配管接続具。
【請求項３】
前記パッキンを両側から挟持するように前記可撓管に嵌着される前記パッキン支持体の２つの前記分割体の間に隙間が形成されていることを特徴とする請求項１又は２に記載の水道配管接続具。
【請求項４】
請求項１乃至３の内いずれか１項に記載の水道配管接続具を備えたことを特徴とする水道配管接続構造。
【考案の詳細な説明】
【技術分野】
【０００１】
本考案は、水道配管における可撓管（フレキシブル管）と他の配管とを接続する水道配管接続具及びそれを用いた水道配管接続構造に関するものである。
【背景技術】
【０００２】
従来、可撓管を他の配管と接続する時は、袋ナット等の配管接続金具を使用するために、可撓管の先端部に鍔等の突起を形成する必要があった。例えば、この突起を形成するために、可撓管の先端部に鍔を溶接したり、かしめたりして取り付けることや、可撓管の先端側の山部の２〜３山程を押し潰して鍔状に加工することが行われていた。
しかし、以上のような作業には専用の工具などを必要とし、手間がかかるため、これらの手間を解消することを目的とした配管接続具が検討されている。
本願出願人が出願した（特許文献１）には、パッキンが、下端側の内周面に断面円弧状に形成され可撓管の先端外周の山部に嵌合する嵌合凹条部と、可撓管の先端側に突出する筒状突出部と、を備え、固定リングが、パッキンの下端部で可撓管の外周の山部に嵌合しパッキンの下端面に当接する当接嵌合筒部と、当接嵌合筒部の周壁部の全長を切断する１箇所の切断部と、当接嵌合筒部の下端側に形設された複数の係合部と、を備え、接続ナットが、固定リングの係合部が着脱自在に係合される係合溝又は係合孔を備えた配管接続具が開示されている。
【先行技術文献】
【特許文献】
【０００３】
【特許文献１】実用新案登録第３１５８６８４号
【考案の概要】
【考案が解決しようとする課題】
【０００４】
（１）（特許文献１）の配管接続具は、可撓管に特別な加工を行う必要がなく、簡素な構成と手順で可撓管の先端部と他の配管とを簡便かつ確実に接続して止水することができる施工性、安全性、耐久性に優れるものであった。特に、固定リングが、当接嵌合筒部の周壁部の全長（又は固定リングの周壁部の長さ方向の全長）を切断する１箇所の切断部を有するので、当接嵌合筒部を簡便に拡径させて可撓管に着脱することができ、組立及び分解の作業性を向上できると共に、可撓管にパッキン及び固定リングを嵌着した後から接続ナットを挿通し、接続ナットの係合溝又は係合孔に固定リングの係合部を係合して、可撓管の先端に接続ナットを保持することができるため、可撓管にパッキン及び固定リングを嵌着する前に予め接続ナットを挿通しておく必要がなく、施工性、取扱い性に優れるものであった。
（２）しかし、固定リングはパッキンの下端側を支持するだけであるため、接続ナットを締め付けすぎると、パッキンが破損することがあった。また、パッキンの外周が接続ナットの内周と接触するため、繰り返し接続ナットを締め付けたり緩めたりしている間に、パッキンが切れたり、摩耗したりする可能性があり、パッキンの弾力性が低下して水漏れが発生するおそれもあるため、構造上の改良が望まれていた。
（３）また、長期間使用すると、合成樹脂製の固定リングとその他の金属製の可撓管や接続ナットとの熱膨張率の違いから、固定リングに破損が発生することがあり、耐候性の改善が望まれていた。
【課題を解決するための手段】
【０００５】
本考案は上記従来の要望を充たすもので、パッキンを切断や摩耗から保護して弾力性の低下を防ぎ、水漏れの発生を防止することができると共に、長期間使用しても部材の破損が発生することがなく、止水の信頼性、耐久性、耐候性に優れる水道配管接続具の提供、及び接続作業が容易で施工性に優れ、温度変化の影響を受け難く、止水の長期安定性、長寿命性に優れる水道配管接続構造の提供を目的とする。
【０００６】
本考案の請求項１に記載の水道配管接続具は、可撓管の先端部に嵌着される円筒状のパッキンと、前記パッキンの下端側で前記可撓管に嵌着され前記パッキンを支持するパッキン支持体と、前記パッキン及び前記パッキン支持体の外周に挿設され他の配管と螺着される接続ナットと、を有する配管接続具であって、前記パッキンが、下端側の内周面に断面円弧状に形成され前記可撓管の先端外周の山部に嵌合する嵌合凹条部と、前記可撓管の先端側に突出する筒状突出部と、を備え、前記パッキン支持体が、半円筒状に形成され前記パッキンの下端側の外周を囲繞するパッキン囲繞部と、前記パッキン囲繞部の下端側の内周面に形成され前記パッキンの下端部で前記可撓管の外周の谷部に嵌合して前記パッキンの下端面に当接する突条当接部と、を有する２つの金属製の分割体で形成され、前記接続ナットが、前記パッキン支持体の各々の前記分割体の前記パッキン囲繞部の下端面に係合する係合突部と、前記パッキンを収容するパッキン収容部と、前記パッキン収容部の上端側に形設された雌螺子部と、を備えた構成を有している。
この構成により、以下のような作用を有する。
（１）可撓管の先端部に嵌着される円筒状のパッキンが、下端側の内周面に断面円弧状に形成され可撓管の先端外周の山部に嵌合する嵌合凹条部と、可撓管の先端側に突出する筒状突出部を有するので、嵌合凹条部を可撓管の先端外周の山部に嵌合させて簡便に嵌着し、パッキンの脱落を防止することができ、筒状突出部を他の配管の端面に当接させて確実に止水することができ、組立作業性、止水の確実性に優れる。
（２）パッキンの下端側で可撓管に嵌着されパッキンを支持するパッキン支持体が、半円筒状の２つの分割体で形成されるので、２つの分割体で可撓管を両側から挟むようにして簡便に取り付けることができ、パッキン支持体の着脱作業性に優れる。
（３）パッキン支持体を２つの金属製の分割体で形成することにより、熱膨張率を可撓管や接続ナットと同等にすることができ、温度変化によってパッキン支持体と可撓管や接続ナットとの間で歪みが発生することがなく、パッキン支持体の破損を簡便かつ効果的に防止することができ、耐候性、耐久性に優れる。
（４）パッキン支持体を形成する２つの分割体が、半円筒状に形成されパッキンの下端側の外周を囲繞するパッキン囲繞部を有するので、パッキンの外周と接続ナットの内周が直接接触することを防止でき、繰り返し接続ナットを締め付けたり緩めたりしても、パッキンが切れたり、摩耗したりすることがなく、長期間或いは繰り返し使用してもパッキンの弾力性が低下し難く、水漏れの発生を防ぐことができ、止水の信頼性、安定性、長寿命性に優れる。
（５）分割体のパッキン囲繞部により、パッキンの下端側の外周が囲繞されているので、パッキン囲繞部の先端部が、接続ナットと他の配管を螺着する際の当たり止めとなり、接続ナットを締め付け過ぎることがなく、パッキンの破損を確実に防止することができ、安全性、施工性に優れる。
（６）分割体のパッキン囲繞部でパッキンの下端側の外周が囲繞されていることにより、接続完了後に可撓管を曲げても、パッキン囲繞部とパッキンとの密着状態を維持することができるので、パッキン支持体などのガタツキを防ぎ、水漏れの発生を防止することができ、施工性、止水の確実性に優れる。
（７）パッキン支持体を形成する２つの分割体が、パッキン囲繞部の下端側の内周面に形成されパッキンの下端部で可撓管の外周の谷部に嵌合してパッキンの下端面に当接する突条当接部と、を有するので、可撓管に確実に固定することができ、他の配管と接続ナットを螺着する際に、パッキンをパッキン支持体で支持して、突条当接部の上端面と他の配管の下端面との間でパッキンを確実に圧縮することができ、止水の信頼性に優れる。
（８）接続ナットが、パッキン支持体の各々の分割体のパッキン囲繞部の下端面に係合する係合突部を有するので、パッキン支持体によって接続ナットを所定の位置に保持することができ、他の配管と接続ナットを螺着することで、他の配管の下端面をパッキンの上端面に密着させることができ、止水の確実性、信頼性に優れる。
（９）接続ナットが、パッキンを収容するパッキン収容部と、パッキン収容部の上端側に形設された雌螺子部を有するので、他の配管の雄螺子部と接続ナットの雌螺子部を螺着するだけで、パッキンをパッキン収容部に収容して確実に保護することができ、施工性、耐久性に優れる。
【０００７】
ここで、パッキンの材質としては、ニトリルゴムやエチレンプロピレンゴム等の合成ゴムを使用することができるが、特に、食品衛生法に適合する材質が好適に用いられる。パッキンの下端側の内周面に形成される嵌合凹条部の断面は、可撓管の山部に嵌合するように略半円形などの円弧状に形成される。
パッキン支持体を形成する分割体の材質としては、ステンレスや銅等の金属が好適に用いられる。特に、可撓管や接続ナットと同等の熱膨張率を有する材質を用いることにより、温度変化時の伸縮に差がなく、歪みを防止して、パッキン支持体の破損を防止できる。
分割体のパッキン囲繞部は、パッキンの下端側の外周を囲繞するが、パッキンの上端面を確実に他の配管の下端面に当接させる必要があるため、パッキン囲繞部の高さはパッキン全体の高さよりも低く形成し、パッキンの上端側がパッキン囲繞部よりも上方に突出するようにする。特に、パッキンの筒状突出部より下方をパッキン囲繞部で囲繞し、筒状突出部がパッキン囲繞部より突出するように形成した場合、他の配管と接続ナットを螺着する際に、筒状突出部の変形が妨げられることがなく、筒状突出部を確実に圧縮して止水することができ、止水の確実性に優れる。
分割体の突条当接部は、可撓管の外周の谷部に嵌合するように山形に形成されるが、その上面部は、パッキンの下端面に当接してパッキンを確実に支持できるように、平坦状に形成することが好ましい。
接続ナットの材質としては、ステンレスや銅等の金属が好適に用いられる。
接続ナットの係合突部は、パッキン支持体の各々の分割体のパッキン囲繞部の下端面に係合するものであればよいが、半円筒状の分割体の内周に沿って突条や段差状に形成されたものが好適に用いられる。
【０００８】
請求項２に記載の考案は、請求項１の水道配管接続具において、前記パッキン支持体の各々の前記分割体が、前記パッキン囲繞部の外径よりも小さな外径を有し前記パッキン囲繞部の下端側に延設された延設部と、前記延設部の内周面に形設され前記可撓管の外周の他の谷部に嵌合する突条固定部と、を備えた構成を有している。
この構成により、請求項１の作用に加え、以下のような作用を有する。
（１）パッキン支持体の各々の分割体が、パッキン囲繞部の外径よりも小さな外径を有しパッキン囲繞部の下端側に延設された延設部を備えることにより、接続ナットを可撓管の先端側に移動させる際に、延設部がガイドとなってスムーズに接続ナットをパッキン及びパッキン支持体の外周に挿設することができ、施工性に優れる。
（２）パッキン支持体の各々の分割体の延設部が、パッキン囲繞部の外径よりも小さな外径を有することにより、接続ナットの係合突部をパッキン囲繞部の下端面に確実に係合させて、接続ナットを所定の位置に保持することができ、接続ナットの固定安定性に優れる。
（３）パッキン支持体の各々の分割体が、延設部の内周面に形設され可撓管の外周の他の谷部に嵌合する突条固定部を備えることにより、突条当接部と突条固定部の２箇所で可撓管の外周の谷部に嵌合させてパッキン支持体を強固に固定することができ、固定安定性、耐久性に優れる。
【０００９】
ここで、突条固定部は、突条当接部と同様に可撓管の外周の谷部に嵌合するように山形に形成される。突条当接部と突条固定部は、可撓管の外周の谷部のピッチに合わせて間隔をあけて平行に形成することができる。
尚、延設部の長さ及び突条固定部の数は適宜、選択することができる。
【００１０】
請求項３に記載の考案は、請求項１又は２の水道配管接続具において、前記パッキンを両側から挟持するように前記可撓管に嵌着される前記パッキン支持体の２つの前記分割体の間に隙間が形成されている構成を有している。
この構成により、請求項１又は２の作用に加え、以下のような作用を有する。
（１）パッキンを両側から挟持するように可撓管に嵌着されるパッキン支持体の２つの分割体の間に隙間が形成されていることにより、分割体の内周面をパッキンの外周面に密着させ、パッキン支持体でパッキンを半径方向に圧縮するように保持することができ、パッキンと可撓管やパッキン支持体との密着性を高めることができ、止水の信頼性に優れる。
【００１１】
ここで、パッキン支持体の２つの分割体のパッキン囲繞部の内径が、パッキンの外径と同等になるように形成することにより、パッキン囲繞部とパッキンを密着させることができるが、各々の分割体のパッキン囲繞部の弧の長さを半円よりも短く形成することで、パッキンを両側から挟持した際に、２つの分割体の間に隙間が形成される。
【００１２】
本考案の請求項４に記載の水道配管接続構造は、請求項１乃至３の内いずれか１項に記載の水道配管接続具を備えた構成を有している。
（１）可撓管に特別な加工を行うことなく、可撓管の先端部にパッキンを確実に嵌着して支持できるだけでなく、パッキンの外周を保護して、破損を防止することができ、止水の信頼性、安定性に優れる。
（２）接続作業が容易で施工性に優れるだけでなく、温度変化による部材の変形や破損を防止することができ、止水の長期安定性、部材の耐久性、長寿命性に優れる。
【考案の効果】
【００１３】
以上のように、本考案の水道配管接続具及びそれを用いた水道配管接続構造によれば、以下のような効果が得られる。
請求項１に記載の考案によれば、以下のような効果を有する。
（１）パッキンの外周と接続ナットの内周が直接接触することを防止でき、繰り返し接続ナットを締め付けたり緩めたりしても、パッキンが切れたり、摩耗したりすることがなく、長期間或いは繰り返し使用してもパッキンの弾力性が低下し難く、水漏れの発生を防ぐことができる止水の信頼性、安定性、長寿命性に優れた水道配管接続具を提供することができる。
【００１４】
請求項２に記載の考案によれば、請求項１の効果に加え、以下のような効果を有する。
（１）可撓管の外周の複数の谷部を利用してパッキンを強固に固定することができる固定安定性、耐久性に優れた水道配管接続具を提供することができる。
【００１５】
請求項３に記載の考案によれば、請求項１又は２の効果に加え、以下のような効果を有する。
（１）パッキンを半径方向に圧縮するようにして確実に保持することができ、パッキンと可撓管との密着性が高く、止水の信頼性に優れた水道配管接続具を提供することができる。
【００１６】
請求項４に記載の考案によれば、請求項１乃至３の内いずれか１項の効果に加え、以下のような効果を有する。
（１）パッキンの外周を保護して、破損を防止することができると共に、温度変化による部材の変形や破損を防止することができ、部材の耐久性、耐候性に優れ、止水の確実性、長期安定性に優れた水道配管接続構造を提供することができる。
【図面の簡単な説明】
【００１７】
【図１】実施の形態１における水道配管接続具を示す模式分解斜視図
【図２】実施の形態１における水道配管接続具を用いた水道配管接続構造を示す要部断面模式側面図
【図３】実施の形態１における水道配管接続具の取付過程を示す要部模式側面図
【図４】実施の形態２における水道配管接続具を用いた水道配管接続構造を示す要部断面模式側面図
【考案を実施するための形態】
【００１８】
（実施の形態１）
本考案の実施の形態１における水道配管接続具及びそれを用いた水道配管接続構造について、以下、図面を用いて説明する。
図１は実施の形態１における水道配管接続具を示す模式分解斜視図であり、図３は実施の形態１における水道配管接続具を用いた水道配管接続構造を示す要部断面模式側面図であり、図３は実施の形態１における水道配管接続具の取付過程を示す要部模式側面図である。
図１中、１は実施の形態１における水道配管接続具、２は複数の山部２ａと谷部２ｂを有する蛇腹状に形成され先端部に水道配管接続具１が装着される可撓管（フレキシブル管）、３は食品衛生法に適合する合成ゴムで形成され可撓管２の先端部に嵌着される水道配管接続具１の円筒状のパッキン、３ａはパッキン３の下端側の内周面に断面略半円形に形成され可撓管２の先端外周の山部２ａに嵌合するパッキン３の嵌合凹条部、３ｂは可撓管２の先端側に突出するパッキン３の筒状突出部、４はステンレスや銅等の金属で形成されパッキン３の下端側で可撓管２に嵌着されてパッキン３を支持する水道配管接続具１のパッキン支持体、４ａはパッキン支持体４を構成する２つの分割体、５は半円筒状に形成されパッキン３の下端側の外周を囲繞する分割体４ａのパッキン囲繞部、６はパッキン囲繞部５の下端側の内周面に形成されパッキン３の下端部で可撓管の外周の谷部２ｂに嵌合してパッキン３の下端面に当接する分割体４ａの突条当接部、７はパッキン囲繞部５の外径よりも小さな外径を有しパッキン囲繞部５の下端側に延設された分割体４ａの延設部、１０はパッキン３及びパッキン支持体４の外周に挿設され他の配管と螺着される水道配管接続具１の接続ナットである。
【００１９】
図２中、５ａはパッキン支持体４の各々の分割体４ａのパッキン囲繞部５の下端面、８はパッキン支持体４の各々の分割体４ａの延設部７の内周面に形設され可撓管２の外周の他の谷部２ｂに嵌合する突条固定部、１１は接続ナット１０の下端側内周に形成されパッキン支持体４の各々の分割体４ａのパッキン囲繞部５の下端面５ａに係合する段差状の係合突部、１２はパッキン３を収容する接続ナット１０のパッキン収容部、１３はパッキン収容部１２の上端側に形設された雌螺子部、１５は水道配管接続具１を介して可撓管２と接続される他の配管、１５ａは他の配管１５の外周に形設され接続ナット１０の雌螺子部１３と螺着される雄螺子部である。
【００２０】
以上のように構成された本考案の実施の形態１における配管接続具を用いた配管接続構造を配管接続具の使用方法に基づいて説明する。
図３中、９はパッキン３を両側から挟持するように可撓管２に嵌着されるパッキン支持体４の２つの分割体４ａの間に形成された隙間である。
まず、図１に示したように、可撓管２に接続ナット１０を挿通させた状態から、可撓管２の先端部の山部２ａにパッキン３を嵌着し、パッキン３の下端側でパッキン支持体４の２つの分割体４ａを可撓管２に嵌着することにより、図３の状態となる。
パッキン支持体４の２つの分割体４ａのパッキン囲繞部５の内径が、パッキン３の外径と同等になるように形成することにより、パッキン囲繞部５とパッキン３を密着させることができるが、各々の分割体４ａのパッキン囲繞部５の弧の長さを半円よりも短く形成することで、パッキン３を両側から挟持した際に、２つの分割体４ａの間に隙間９が形成される。これにより、パッキン支持体４でパッキン３を半径方向に圧縮するように保持することができ、パッキン３と可撓管２やパッキン支持体４との密着性を高めることができる。
【００２１】
次に、接続ナット１０を可撓管２の先端側に移動させることにより、図２の状態となる。このとき、延設部７がガイドとなってスムーズに接続ナット１０をパッキン３及びパッキン支持体４の外周に挿設することができ、施工性に優れる。
最後に接続ナット１０と他の配管１５を螺着することにより、接続が完了する。
パッキン３の上端面を確実に他の配管１５の下端面に当接させるため、パッキン囲繞部５の高さはパッキン３全体の高さよりも低く形成し、パッキン３の上端側がパッキン囲繞部５よりも上方に突出するようにした。特に、パッキン３の筒状突出部３ｂより下方をパッキン囲繞部５で囲繞し、筒状突出部３ｂがパッキン囲繞部５より突出するように形成した場合、他の配管１５と接続ナット１０を螺着する際に、筒状突出部３ｂの変形が妨げられることがなく、筒状突出部３ｂを確実に圧縮して止水を行うことができる。また、パッキン３の下端側を囲繞するパッキン囲繞部５の先端部が、接続ナット１０と他の配管１５を螺着する際の当たり止めとなるため、接続ナット１５を締め付け過ぎることがなく、パッキン３の破損を防止できる。
分割体４ａの突条当接部６及び突条固定部８は、可撓管２の外周の谷部２ｂに嵌合するように山形に形成するが、突条当接部６の上面部を平坦状に形成することにより、パッキン３の下端面に当接させてパッキン３を確実に支持することができ、パッキン３の支持安定性に優れる。
尚、本実施の形態では、延設部７の下端部に突条固定部８を１箇所のみ設けたが、延設部７の長さ及び突条固定部８の数や配置間隔は適宜、選択することができる。
【００２２】
以上のように構成された本考案の実施の形態１における水道配管接続具によれば、以下の作用を有する。
（１）可撓管の先端部に嵌着される円筒状のパッキンが、下端側の内周面に断面円弧状に形成され可撓管の先端外周の山部に嵌合する嵌合凹条部と、可撓管の先端側に突出する筒状突出部を有するので、嵌合凹条部を可撓管の先端外周の山部に嵌合させて簡便に嵌着し、パッキンの脱落を防止することができ、筒状突出部を他の配管の端面に当接させて確実に止水することができ、組立作業性、止水の確実性に優れる。
（２）パッキンの下端側で可撓管に嵌着されパッキンを支持するパッキン支持体が、半円筒状の２つの分割体で形成されるので、２つの分割体で可撓管を両側から挟むようにして簡便に取り付けることができ、パッキン支持体の着脱作業性に優れる。
（３）パッキン支持体を２つの金属製の分割体で形成することにより、熱膨張率を可撓管や接続ナットと同等にすることができ、温度変化によってパッキン支持体と可撓管や接続ナットとの間で歪みが発生することがなく、パッキン支持体の破損を簡便かつ効果的に防止することができ、耐候性、耐久性に優れる。
（４）パッキン支持体を形成する２つの分割体が、半円筒状に形成されパッキンの下端側の外周を囲繞するパッキン囲繞部を有するので、パッキンの外周と接続ナットの内周が直接接触することを防止でき、繰り返し接続ナットを締め付けたり緩めたりしても、パッキンが切れたり、摩耗したりすることがなく、長期間或いは繰り返し使用してもパッキンの弾力性が低下し難く、水漏れの発生を防ぐことができ、止水の信頼性、安定性、長寿命性に優れる。
（５）分割体のパッキン囲繞部により、パッキンの下端側の外周が囲繞されているので、パッキン囲繞部の先端部が、接続ナットと他の配管を螺着する際の当たり止めとなり、接続ナットを締め付け過ぎることがなく、パッキンの破損を確実に防止することができ、安全性、施工性に優れる。
（６）分割体のパッキン囲繞部でパッキンの下端側の外周が囲繞されていることにより、接続完了後に可撓管を曲げても、パッキン囲繞部とパッキンとの密着状態を維持することができるので、パッキン支持体などのガタツキを防ぎ、水漏れの発生を防止することができ、施工性、止水の確実性に優れる。
（７）パッキン支持体を形成する２つの分割体が、パッキン囲繞部の下端側の内周面に形成されパッキンの下端部で可撓管の外周の谷部に嵌合してパッキンの下端面に当接する突条当接部と、を有するので、可撓管に確実に固定することができ、他の配管と接続ナットを螺着する際に、パッキンをパッキン支持体で支持して、突条当接部の上端面と他の配管の下端面との間でパッキンを確実に圧縮することができ、止水の信頼性に優れる。
（８）接続ナットが、パッキン支持体の各々の分割体のパッキン囲繞部の下端面に係合する係合突部を有するので、パッキン支持体によって接続ナットを所定の位置に保持することができ、他の配管と接続ナットを螺着することで、他の配管の下端面をパッキンの上端面に密着させることができ、止水の確実性、信頼性に優れる。
（９）接続ナットが、パッキンを収容するパッキン収容部と、パッキン収容部の上端側に形設された雌螺子部を有するので、他の配管の雄螺子部と接続ナットの雌螺子部を螺着するだけで、パッキンをパッキン収容部に収容して確実に保護することができ、施工性、耐久性に優れる。
（１０）パッキン支持体の各々の分割体が、パッキン囲繞部の外径よりも小さな外径を有しパッキン囲繞部の下端側に延設された延設部を備えることにより、接続ナットを可撓管の先端側に移動させる際に、延設部がガイドとなってスムーズに接続ナットをパッキン及びパッキン支持体の外周に挿設することができ、施工性に優れる。
（１１）パッキン支持体の各々の分割体が、パッキン囲繞部の外径よりも小さな外径を有しパッキン囲繞部の下端側に延設された延設部を備えることにより、接続ナットの係合突部をパッキン囲繞部の下端面に確実に係合させて、接続ナットを所定の位置に保持することができ、接続ナットの固定安定性に優れる。
（１２）パッキン支持体の各々の分割体が、延設部の内周面に形設され可撓管の外周の他の谷部に嵌合する突条固定部を備えることにより、突条当接部と突条固定部の２箇所で可撓管の外周の谷部に嵌合させてパッキン支持体を強固に固定することができ、固定安定性、耐久性に優れる。
（１３）パッキンを両側から挟持するように可撓管に嵌着されるパッキン支持体の２つの分割体の間に隙間が形成されていることにより、分割体の内周面をパッキンの外周面に密着させ、パッキン支持体でパッキンを半径方向に圧縮するように保持することができ、パッキンと可撓管やパッキン支持体との密着性を高めることができ、止水の信頼性に優れる。
【００２３】
以上のように構成された本考案の実施の形態１における水道配管接続具を用いた水道配管接続構造によれば、以下の作用を有する。
（１）可撓管に特別な加工を行うことなく、可撓管の先端部にパッキンを確実に嵌着して支持できるだけでなく、パッキンの外周を保護して、破損を防止することができ、止水の信頼性、安定性に優れる。
（２）接続作業が容易で施工性に優れるだけでなく、温度変化による部材の変形や破損を防止することができ、止水の長期安定性、部材の耐久性、長寿命性に優れる。
【００２４】
（実施の形態２）
実施の形態２における水道配管接続具及びそれを用いた水道配管接続構造について、以下、図面を用いて説明する。尚、実施の形態１と同様のものには同一の符号を付して説明を省略する。
図４は実施の形態２における水道配管接続具を用いた水道配管接続構造を示す要部断面模式側面図である。
図４において、実施の形態２における水道配管接続具１Ａ及びそれを用いた水道配管接続構造が実施の形態１と異なるのは、パッキン支持体４Ａを構成する２つの分割体４ｂが、延設部７及び突条固定部８（図２参照）を備えていない点である。
パッキン支持体４Ａの分割体４ｂが、突条当接部６のみで可撓管２に嵌着してパッキン３を確実に支持することができれば、実施の形態１における分割体４の延設部７及び突条固定部８を省略することができる。
尚、その他の構造及び使用方法については、実施の形態１における水道配管接続具及びそれを用いた水道配管接続構造と同様なので説明を省略する。
【００２５】
以上のように構成された本考案の実施の形態２における水道配管接続具によれば、実施の形態１の（１）乃至（９），（１３）と同様の作用を有する。
また、以上のように構成された本考案の実施の形態２における水道配管接続具を用いた水道配管接続構造によれば、実施の形態１と同様の作用を有する。
【産業上の利用可能性】
【００２６】
本考案は、パッキンを切断や摩耗から保護して弾力性の低下を防ぎ、水漏れの発生を防止することができると共に、長期間使用しても部材の破損が発生することがなく、止水の信頼性、耐久性、耐候性に優れる水道配管接続具の提供、及び接続作業が容易で施工性に優れ、温度変化の影響を受け難く、止水の長期安定性、長寿命性に優れる水道配管接続構造の提供を行うことができ、配管接続工事の工期を短縮し、省力化に貢献することができる。
【符号の説明】
【００２７】
１，１Ａ  水道配管接続具
２  可撓管（フレキシブル管）
２ａ  山部
２ｂ  谷部
３  パッキン
３ａ  嵌合凹条部
３ｂ  筒状突出部
４，４Ａ  パッキン支持体
４ａ，４ｂ  分割体
５  パッキン囲繞部
５ａ  下端面
６  突条当接部
７  延設部
８  突条固定部
１０  接続ナット
１１  係合突部
１２  パッキン収容部
１３  雌螺子部
１５  他の配管
１５ａ  雄螺子部
【図１】
0003172337.tif 000003
【図２】
0003172337.tif 000004
【図３】
0003172337.tif 000005
【図４】
0003172337.tif 000006